(57)【要約】【課題】カビ類の繁殖に有利であり、カビ類により水を浄化することができる水浄化方法および水浄化装置を提供すること。【解決手段】カビ類７Ａ，７Ｃを担持する担体８Ａ，８Ｃと、浄化されるべき水を保持する容器３，４とを用意する。空気及び水が供給される領域に担体８Ａ，８Ｃの少なくとも一部を保持することにより、担体８Ａ，８Ｃに担持されているカビ類７Ａ，７Ｃを繁殖させる。カビ類７Ａ，７Ｃの浄化作用により容器３，４内の水を浄化する。【選択図】  図１
2004344736.tif 000002
【特許請求の範囲】
【請求項１】
カビ類を担持する担体と、浄化されるべき水を保持する容器とを用意する工程と、
空気及び水が供給される領域に、前記担体の少なくとも一部を保持することにより、前記担体に担持されている前記カビ類を繁殖させ、前記カビ類により前記容器内の水を浄化する工程とを実施することを特徴とする水浄化方法。
【請求項２】
請求項１において、前記カビ類は腐朽菌を含むことを特徴とする水浄化方法。
【請求項３】
請求項１または請求項２において、前記空気及び水が供給される領域は、前記容器内の水の水面における空気・水境界領域、または、前記容器内の水の水面よりも上方の空気・水供給領域であることを特徴とする水浄化方法。
【請求項４】
請求項１〜請求項３のうちのいずれか一項において、前記容器の水内に浸漬させた第２担体に担持されているバクテリアにより、前記容器内の水を更に浄化させることを特徴とする水浄化方法。
【請求項５】
浄化されるべき水を保持する容器と、
カビ類を担持する担体の少なくとも一部を空気及び水が供給される領域に保持する担体保持部とを具備しており、
前記担体に担持されている前記カビ類を繁殖させ、前記カビ類により前記容器内の水を浄化することを特徴とする水浄化装置。
【請求項６】
請求項５において、前記容器及び前記担体保持部のうちの少なくとも一方は、
前記担体保持部の少なくとも一部を、前記容器内の水の水面における空気・水境界領域、または、前記容器内の水の水面よりも上方の空気・水供給領域に保持する保持部を有することを特徴とする水浄化装置。
【請求項７】
請求項５において、前記担体保持部は、前記担体保持部を前記容器内の水の水面に浮遊させるフロートを有することを特徴とする水浄化装置。
【請求項８】
請求項５〜請求項７のうちいずれか一項において、バクテリアを担持する第２担体を保持する第２担体保持部が前記容器内に設けられていることを特徴とする水浄化装置。
【発明の詳細な説明】
【０００１】
【発明の属する技術分野】
本発明は水浄化方法および水浄化装置に関する。
【０００２】
【従来の技術】
近年、地下水等の水を効果的に浄化することが要請されている。特許文献１には、汚濁水の油分と水分とを分離させる油水分離槽と、油分を分離した汚濁水を浄化する濾過材を装入した第１浄化槽と、第１浄化槽で浄化された水を更に浄化させる有用微生物が繁殖する第２浄化槽とを有する汚濁水浄化装置が開示されている。このものによれば、有用微生物により汚濁水を効率よく浄化させることができる。
【０００３】
特許文献２には、浄化されるべき水を貯留するタンクと、タンクの水に浮遊させる浮遊体と、浮遊体に設けられ水に露呈する吸着材とを有する水処理装置が開示されている。このものによれば、水面に浮遊する浮遊体が駆動力に頼ることなく移動するため、水面に浮遊する油分等の浮遊物質が浮遊体の吸着材に吸着除去される。
【０００４】
【特許文献１】特開２００２−１０２８９０号公報
【特許文献２】特開平１０−３２８６５５号公報
【０００５】
【発明が解決しようとする課題】
更に産業界では、地下水等の水を更に効率よく浄化できる水浄化方法および水浄化装置が要望されている。本発明は上記した実情に鑑みてなされたものであり、カビ類の繁殖に有利であり、カビ類により水を浄化することができる水浄化方法および水浄化装置を提供することを課題とするにある。
【０００６】
【課題を解決するための手段】
本発明に係る水浄化方法は、カビ類を担持する担体と、浄化されるべき水を保持する容器とを用意する工程と、空気及び水が供給される領域に、担体の少なくとも一部を保持することにより、担体に担持されているカビ類を繁殖させ、カビ類により前記容器内の水を浄化する工程とを実施することを特徴とするものである。
【０００７】
本発明に係る水浄化装置は、浄化されるべき水を保持する容器と、カビ類を担持する担体の少なくとも一部を空気及び水が供給される領域に保持する担体保持部とを具備しており、担体に担持されているカビ類を繁殖させ、カビ類により容器内の水を浄化することを特徴とするものである。
【０００８】
本発明に係る水浄化方法、水浄化装置によれば、カビ類を担持した担体の少なくとも一部を、空気及び水が供給される領域に保持する。従って、担体に担持されているカビ類は、空気及び水に接触することができ、カビ類は担体において繁殖する。カビ類が繁殖すると、カビ類から分解酵素が分泌され、分解酵素が容器内の水に流出するため、容器内に保持されている環境負荷物質を含む水が浄化されると推察される。
【０００９】
【発明の実施の形態】
カビ類が繁殖するには、一般的には、水分、空気、栄養を必要とする。栄養は、浄化すべき水に含有されている物質、若しくは、担持体を構成する物質を利用することができる。本発明によれば、カビ類を担持する担体の少なくとも一部は、空気及び水が供給される領域に保持される。従って、カビ類の繁殖が担体において進行する。ここで、本発明でいう空気及び水が供給される領域は、空気及び水の双方が供給される領域であり、空気及び水が同時刻で供給される形態、異なる時刻で供給される形態を含む。水は液体状の水、気体状の水（水蒸気）でも良い。従って、本発明でいう空気及び水が供給される領域としては、容器内の水の水面における空気・水境界領域を例示することができる。容器内の水の水面付近であれば、水面上の空気と、水面からの水（液体状の水、または、気体状の水）とが効率よく存在するため、カビ類の繁殖に有利となる。容器内の水の水面付近であれば、水面から蒸発した気体状の水も多く存在し、水面から離間した部位よりも湿度が相対的に高く、カビ類の繁殖に効果的である。
【００１０】
また、本発明でいう空気及び水が供給される領域としては、容器内の水の水面近傍で水面よりも上方の空気・水供給領域を例示することができる。容器内の水の水面よりも上方の領域は、水面上の空気が存在する他に、水面から蒸発した気体状の水もかなり存在するため、カビ類の繁殖に有利となる。この場合、空気及び水が供給される領域としては、容器の静止状態の水面から４０センチメートル以内の上方領域、または、水面から３０センチメートル以内の上方領域とすることができる。この領域内であれば、容器の水の水面から蒸発した気体状の水が増加しており、湿度が高い。
【００１１】
また、本発明でいう空気及び水が供給される領域としては、容器内の水の水面よりもかなり上方であるものの、担体の上方または側方に配置されたシャワー装置により水を担体にかけることができる領域を例示することもできる。この場合には、定期的または不定期的にシャワー装置により水を担体にかけることができる。
【００１２】
カビ類が担持する担体としては、カビ類を担持できるものであればよいが、多数の細孔を有する多孔質体が好ましい。多孔質体としては、有機系多孔質体、無機系多孔質体のいずれでも良い。多孔質体としては、活性炭、ゼオライト、セピオライト、ラフリナイト，アタパルジャイト等のうちの少なくとも１種を例示でき、更に、おがくず等の木質材を例示できる。浄化すべき水に含まれている環境負荷物質等の物質が多孔質体の細孔に捕獲され易くなりため、この物質を栄養分としてカビ類を繁殖させるのに有利である。担体は、担体の飛散を防止すべく、担体保持部に保持されていることが好ましい。担体保持部としては、かご、ケース、網状容器等を例示できる。
【００１３】
カビ類としては腐朽菌類を例示できる。腐朽菌類としては白色腐朽菌、褐色腐朽菌、軟腐朽菌を例示できる。その他カビ類として、アスペルギルス属、ペニシリウム属、リゾプス属、ムコール属、トリコデルマ属等の糸状菌を例示できる。文献などによれば、白色腐朽菌はダイオキシン、ＤＤＴ、ＰＣＢ等の環境負荷物質を分解できるとも言われている。また、アスペルギルス属、ペニシリウム属等の糸状菌は、バクテリアによる分解を受けにくいデンプンを、ペニシリウム属、リゾプス属、ムコール属等の糸状菌は天然油脂を、アスペルギルス属、トリコデルマ属等の糸状菌はセルロースを強力に分解すると言われている。
【００１４】
本発明によれば、容器及び担体保持部のうちの少なくとも一方は、担体保持部の少なくとも一部を、容器内の水の水面における空気・水境界領域、または、容器内の水の水面よりも上方の空気・水供給領域に保持する保持部を有することが好ましい。これによりカビ類を担持した担体の少なくとも一部を、空気と水とが供給される領域に保持するのに有利となる。上記した保持部としては、水を保持する容器に担体保持部を係合させる機能を有するものを採用することができ、着脱可能なフック等を例示できる。
【００１５】
また本発明によれば、担体保持部をフロートで水の水面に浮かせる方式を採用することもできる。この場合、担体保持部は、担体保持部を容器内の水の水面に浮遊させるフロートを有することができる。フロートの浮遊作用により、カビ類を担持する担体を保持する担体保持部が容器の水の水面に浮遊するため、カビ類を担持した担体の少なくとも一部を、容器内の水の水面における空気・水境界領域、または、容器内の水の水面よりも上方の空気・水供給領域に保持するのに有利となる。上記したフロートとしては、空気を封入する方式、あるいは、比重が水よりも小さい発泡体等を例示できる。
【００１６】
本発明によれば、容器の水内に浸漬させた第２担体に担持されているバクテリアにより容器内の水を更に浄化させる形態を採用できる。従って本発明装置によれば、バクテリアを担持する第２担体を保持する第２担体保持部が容器内に設けられている形態を例示できる。バクテリアは一般的には単細胞であり、細胞分裂により増殖する。上記したように容器の水内に浸漬させた第２担体に担持したバクテリアを繁殖させれば、バクテリアにより容器内の水を更に浄化させることができる。カビ類が水を浄化する作用と、バクテリアが水を浄化する作用とは同一ではないため、カビ類による浄化作用とバクテリアによる浄化作用との複合的浄化作用を期待することができる。バクテリアとしては、シュードモナス属、アルカリゲネス属、フラボバクテリウム属、バチルス属、エシェリヒア属、アクロモバクター属、アグロバクテリウム属、パラコッカス属、チオバチルス属等の細菌を例示できる。
【００１７】
本発明によれば、担体保持部に保持されていると共にカビ類を担持する担体を水が流れるように水の流路を規制する流路規制部材を、担体保持部及び容器のうちの少なくとも一方に設ける形態を例示できる。これにより浄化効率を更に高めることができる。また、第２担体保持部に保持されていると共にバクテリアを担持する第２担体を水が流れるように水の流路を規制する流路規制部材を、第２担体保持部及び容器のうちの少なくとも一方に設ける形態を例示できる。これにより浄化効率を一層高めることができる。
【００１８】
また本発明によれば、カビ類を担持する担体を保持する担体保持部を、水の流れる流路において相対的に上流側に設ける形態を例示することができる。これによりカビ類から分泌された分解酵素を下流側に供給し、流路全体における水の浄化効率を高めるのに有利となる。カビ類の下流側に多孔質体が設けられている場合には、その多孔質体の細孔に当該分解酵素を担持させることも期待できる。
【００１９】
例えば、カビ類を担持する担体を保持する担体保持部を、水の流れる流路において、バクテリアを担持する第２担体を保持する第２担体保持部よりも、相対的に上流側に設けることができる。
【００２０】
また本発明によれば、容器内において水が上向きに流れるときには、バクテリアを担持する第２担体を保持する第２担体保持部を、カビ類を担持する担体を保持する担体保持部よりも、水の流れる流路において相対的に下流側に設けることもできる。カビ類を担持する担体が容器内の水面付近に配置されるためである。
【００２１】
【実施例】
以下、本発明を具体化した一実施例について図１〜図６を参照して説明する。本実施例に係る水浄化装置は、油分（鉱油、油脂等）等の環境負荷物質を含む浄化されるべき水を浄化するものであり、図１に示すように、基体１と、油水分離槽２と、油水分離槽２の下流に配置され浄化されるべき水が保持される容器としての第１浄化槽３と、第１浄化槽３の下流に配置され浄化されるべき水が保持される容器としての第２浄化槽４とを有する。油水分離槽２、第１浄化槽３及び第２浄化槽４は基体１にそれぞれ配設されている。なお基体１は基体１を吊持するための吊持具１ａを有する。
【００２２】
図１に示すように、油水分離槽２は、浄化されるべき水に含まれている油分を概略的に浄化するものであり、浄化されるべき水が保持される分離室２０と、分離室２０内の浄化されるべき水に浮遊するフロート式の水位検知手段２１と、第１流入口２２と、第１流出口２３と、分離室２０に保持されている浄化されるべき水の水面ＷＡに浮遊するフロート漏斗２９とをもつ。水位検知手段２１により分離室２０の浄化されるべき水の水位は検知される。検知信号は制御回路２５に入力される。制御回路２５は、揚水手段として機能するポンプ２７の駆動を制御する。これにより分離室２０に保持されている浄化されるべき水の水面ＷＡの水位が一体となるように制御されている。
【００２３】
図１に示すように、水送給管２６は、浄化されるべき水が貯留されている水源６に繋がっており、揚水用のポンプ２７を介して油水分離槽２の第１流入口２２に接続されている。油水分離槽２の第１流出口２３は排油管２８を介して油分貯留槽５に接続されている。油分貯留槽５は油水分離槽２の下方に位置するように基体１に配置されている。
【００２４】
前記した油水分離槽２に搭載されているフロート漏斗２９は、油水分離槽２の分離室２０の水の水面ＷＡに浮上している浮上油２９ａを分離するものである。フロート漏斗２９は、水面ＷＡに浮上している浮上油２９ａを捕獲可能な漏斗孔２９ｂと、漏斗孔２９ｂから第１流出口２３に繋がる連通路２９ｃとをもつ。分離室２０の水面ＷＡに浮上している浮上油２９ａは、漏斗孔２９ｂに捕獲され、更に、連通路２９ｃ、第１流出口２３、排油管２８を経て、油分貯留槽５に向けて排出される。油分貯留槽５に開閉弁５０が設けられている。開閉弁５０が開弁されると、油分貯留槽５内の油分が油分貯留槽５の外方に排出される。
【００２５】
図１に示すように、第１浄化槽３は基体１の搭載面１０に搭載されており、第１浄化室３０と、第１浄化室３０の上部に設けられた入口３１と、第１浄化室３０の下部に設けられた出口３２とをもつ。第１浄化槽３の入口３１は、油水分離槽２の第２流出口２４に中間管３４を介して接続されている。更に、中間管３４には、油滴除去フィルタ３３および流量調整弁３５が設けられている。油滴除去フィルタ３３は、中間管３４を流れる水の油分を捕獲するものである。流量調整弁３５は、第１浄化槽３の第１浄化室３０の水面Ｗ１の高さに応じて、中間管３４を流れる水の流量を調整する制御弁として機能するものである。従って第１浄化室３０の水面Ｗ１の高さは一定に維持されている。流量調整弁３５が開弁されると、油水分離槽２の水は中間管３４を経て第１浄化槽３に流れる。流量調整弁３５が閉弁されていると、油水分離槽２の水は中間管３４を経て第１浄化槽３に流れない。
【００２６】
図１に示すように、第１浄化槽３の第１浄化室３０内には、かご形状の担体保持部９Ａが第１浄化室３０に設けられている。担体保持部９Ａは第１浄化室３０に対して着脱可能とされており、有用微生物としてのカビ類７Ａを担持する担体８Ａを保持する。図２に示すように、担体保持部９Ａは、カビ類７Ａを担持する粒状の担体８Ａを収容するかご形状の担体収容部９１と、かご形状の担体収容部９１を第１浄化槽３の水の水面Ｗ１に浮遊させる浮力発生手段として機能するフロート９２と、かご形状の担体収容部９１の外周面を周方向に沿って１周するリング形状の流路規制部材９３とを有する。
【００２７】
図３に示すように、担体保持部９Ａの担体収容部９１の周壁は通水性を有する。つまり、担体収容部９１の周壁は、担体収容部９１の内外を連通させる通水用の多数の連通口９４を有する。担体収容部９１の下面及び上面には、通水性を有するメッシュ目９５ｘをもつメッシュ部材９５が設けられている。このように担体保持部９Ａは通水性を有するため、担体保持部９Ａに保持されている担体８Ａ、カビ類７Ａは、水に触れることができる。
【００２８】
本実施例によれば、図２に示すように、フロート９２の浮力により、担体保持部９Ａは第１浄化室３０の水の水面Ｗ１に浮遊する。従って、担体保持部９Ａの担体８Ａに担持されているカビ類７Ａは、第１浄化室３０の水と、第１浄化室３０の水面Ｗ１の上方の空気とに効果的に接触することができ、効率よく繁殖することができる。即ち、担体８Ａに担持されているカビ類７Ａは、第１浄化槽３内の水面Ｗ１において、空気及び水の境界である気液境界領域（空気・水境界領域）に存在することができ、カビ類７Ａが繁殖し、カビ類７Ａから分泌される分解酵素の量が確保される。この分解酵素は第１浄化槽３、更にはその下流に位置する第２浄化槽４内に流出するため、第１浄化槽３内の水に含まれている環境負荷物質、第２浄化槽４内の水に含まれている環境負荷物質が効果的に浄化される。
【００２９】
前記した気液境界領域（空気・水境界領域）は、空気及び水の双方が供給される領域に相当する。代表的なカビ類７Ａとしては白色腐朽菌が挙げられる。白色腐朽菌は気液境界領域において繁殖しやすい。白色腐朽菌が繁殖すると、環境負荷物質に対する浄化能力が高い分解酵素の分泌量が増加する。前記した担体８Ａとしては、カビ類７Ａを担持できるものであればよいが、多数の細孔を有する多孔質体が好ましい。
【００３０】
本実施例によれば、図２に示すように、かご形状の担体収容部９１の外周面を周方向に沿って１周する流路規制部材９３が設けられている。流路規制部材９３はリング形状をなしており、担体収容部９１の外周面と第１浄化槽３の第１浄化室３０の内壁面との間の隙間３０ｘに配置されている。この結果、流路規制部材９３は、当該隙間３０ｘの流路を水が通過することを規制する機能をもつ。このため、第１浄化槽３の第１浄化室３０を流れる水が担体収容部９１内の担体８Ａを経路する確率を高めることができ、浄化効率を高めることができる。なお、図３においてはフロート９２及び流路規制部材９３が省略されている。
【００３１】
流路規制部材９３は、かご形状の担体収容部９１の外周面に形成されているが、これに限らず、場合によっては、第１浄化槽３の第１浄化室３０の内壁面に設けることにしても良い。また、流路規制部材９３は担体収容部９１の周方向に沿ってリング形状をなしているが、担体収容部９１の周方向に沿って断続的に設けられている形態でも良い。
【００３２】
また、図１に示すように、第１浄化槽３の第１浄化室３０内には、かご形状の第２担体保持部９Ｂが第１浄化室３０に保持されている。第２担体保持部９Ｂは、有用微生物としてのバクテリア７Ｂを担持する第２担体８Ｂを保持する。バクテリア７Ｂが繁殖すると、環境負荷物質に対する浄化能力が高い分解酵素の分泌量が増加する。
第２担体８Ｂに担持されているバクテリア７Ｂは、空気と直接的に接触しなくても水中に存在していれば、水に含まれている溶存空気により繁殖できるか、あるいは、酸素を必要とせずに繁殖できる微生物である。バクテリア７Ｂとしては  土壌菌、活性汚泥菌が例示される。バクテリア７Ｂは、浄化されるべき水に含まれている物質を栄養分として繁殖する。
【００３３】
図５に示すように、第２担体保持部９Ｂには、爪状の被係合部９ｍが保持部として形成されている。第２担体保持部９Ｂの爪状の被係合部９ｍを第１浄化槽３に着脱可能に係合させるフック形状の係合部３９Ｂが、第１浄化槽３に保持部として設けられている。かご形状の第２担体保持部９Ｂが第１浄化槽３の係合部３９Ｂに係合された状態で、かご形状の第２担体保持部９Ｂは第１浄化槽３内の水の中に浸漬されており、従って、第２担体保持部９Ｂに保持されている第２担体８Ｂは第１浄化槽３内の水の中に浸漬されている。
【００３４】
図５に示すように、第２担体保持部９Ｂの下面及び上面には、通水性を有するメッシュ目９６ｘをもつメッシュ部材９６が設けられている。このように第２担体保持部９Ｂは通水性を有するため、第２担体保持部９Ｂに保持されている第２担体８Ｂ、バクテリア７Ｂは、水に触れることができる。上記した第２担体８Ｂとしてはバクテリア７Ｂを担持できるものであればよいが、多数の細孔を有する多孔質体（例えば活性炭）が好ましい。
【００３５】
本実施例によれば、図１から理解できるように、空気との接触性が高いことを要求するカビ類７Ａを担持している担体８Ａは、第１浄化槽３の第１浄化室３０内において相対的に上側に配置されていると共に、空気との接触性をあまり要求せず、溶存空気でも繁殖できるバクテリア７Ｂを担持している第２担体８Ｂは、第１浄化槽３の第１浄化室３０内において相対的に下側に配置されている。このように第１浄化槽３においてカビ類７Ａ及びバクテリア７Ｂが繁殖しているため、第１浄化槽３において、カビ類７Ａが水を浄化する作用と、バクテリア７Ｂが水を浄化する作用との複合的浄化作用を期待することができる。
【００３６】
本実施例によれば、図１に示すように、第１浄化槽３においては、入口３１の高さ位置は出口３２よりも上方に設けられているため、浄化されるべき水は、基本的には第１浄化槽３の上部から下部側に向けて下向き（矢印Ｄ１方向）に流れる。この場合、第１浄化槽３内の水に油分が存在するときには、比重が軽い油分は第１浄化槽３の水面Ｗ１に浮遊する傾向にある。担体８Ａに担持されているカビ類７Ａは、第１浄化室３０内において相対的に上側に配置されており、第１浄化槽３の水面Ｗ１付近に存在しているため、第１浄化槽３の水面Ｗ１に浮遊する油分等の浮遊物質を、水面Ｗ１付近のカビ類７Ａにより効率よく浄化させるのに貢献できる。
【００３７】
なお、図１に示すように、第１浄化槽３の第１浄化室３０の底部には、散気管３７が設けられている。散気管３７には、空気送給手段として機能するファン３８が接続されている。バクテリア７Ｂが空気を必要とする場合には、必要に応じて、ファン３８を駆動させると、空気が散気管３７を介して第１浄化槽３の第１浄化室３０の水に供給される（爆気操作）。これにより第１浄化室３０内の水における溶存空気量が増加し、第１浄化室３０内のバクテリア７Ｂの繁殖に貢献できる。第１浄化室３０内の水における溶存空気量が増加すれば、カビ類７Ａの繁殖にも有利である。
【００３８】
図１に示すように、第２浄化槽４は基体１の搭載面１０に第１浄化槽３と独立して搭載されている。第２浄化槽４は、第２浄化室４０と、第２浄化室４０の下部に設けられた入口４１と、第２浄化室４０の上部に設けられた出口４２とをもつ。第２浄化槽４の入口４１は、第１浄化槽３の出口３２に中間管４３を介して接続されている。図１に示すように、中間管４３には開閉可能な制御弁としての流量調整弁４４が設けられている。流量調整弁４４が開弁されていると、第１浄化槽３で浄化された水は、中間管４３を経て第２浄化槽４に流れる。流量調整弁４４が閉弁されていると、第１浄化槽３の水は中間管４３を経て第２浄化槽４に流れない。
【００３９】
図１に示すように、第２浄化槽４の出口４２は、第２浄化槽４の入口４１よりも上方に位置しており、吐水口４７をもつ吐水管４６に接続されている。従って、第２浄化槽４の第２浄化室４０によれば、水は基本的には下部から上部にかけて上向き（矢印Ｕ１方向）に流れるように設定されている。この結果、第２浄化槽４の第２浄化室４０内を流れる水の偏流が抑制され、第２浄化室４０におけるカビ類やバクテリアの繁殖のバラツキを抑制するのに有利である。
【００４０】
図６は第２浄化槽４の内部を示す。図６に示すように、第２浄化槽４の第２浄化室４０内には、かご形状の担体保持部９Ｃが設けられている。担体保持部９Ｃは、有用微生物としてのカビ類７Ｃを担持する粒状の担体８Ｃを保持する。更に図６に示すように、担体保持部９Ｃには、爪状の被係止部９ｍが保持部として形成されている。更に図６に示すように、爪状の被係止部９ｍ着脱可能に係合させるフック形状の係合部３９Ｃが保持部として第２浄化槽４の内壁に設けられている。図６に示すように、かご形状の担体保持部９Ｃの爪状の被係止部９ｍが第２浄化槽４の係合部３９Ｃに係合されると、かご形状の担体保持部９Ｃ内に保持されている担体８Ｃの少なくとも一部は、第２浄化槽４の水の水面Ｗ２付近に保持される。従って、かご形状の担体保持部９Ｃ内に保持されている担体８Ｃの少なくとも一部は、第２浄化槽４の出口４２の下端の高さ位置ｈ２よりも上方に保持される。このため担体８Ｃに担持されているカビ類７Ｃは、第２浄化槽４の水の水面Ｗ２付近において、空気及び水の境界である気液境界領域に存在することができ、第２浄化槽４の水の水面Ｗ２の水に接触すると共に、水面Ｗ２の上方の空気に接触することができる。故に、第２浄化槽４のカビ類７Ｃは、水と水面Ｗ２上方の空気とにより活性化されて繁殖する。カビ類７Ｃから分泌された分解酵素は、第２浄化槽４内の水に流出する。このため第２浄化槽４内の水に含まれている環境負荷物質を除去し、浄化されるべき水を効果的に浄化することができる。前記した気液境界領域は、空気及び水が供給される領域に相当する。
【００４１】
なお、代表的なカビ類７Ｃとしては、カビ類７Ａと同様に、白色腐朽菌が例示される。カビ類７Ｃを担持する担体８Ｃとしては、カビ類７Ｃを担持できるものであればよいが、多数の細孔を有する多孔質体が好ましい。
【００４２】
図６に示すように、かご形状の担体保持部９Ｃには、これの外周面を周方向に沿って１周する流路規制部材９３が設けられている。流路規制部材９３はリング形状をなしており、担体保持部９Ｃの外周面と第２浄化槽４の内壁面との間の隙間４０ｘに配置されている。この結果、流路規制部材９３は、当該隙間４０ｘの流路を水が通過することを規制する機能をもつ。このため、第２浄化槽４を矢印Ｕ１方向に流れる水が担体保持部９Ｃ内の担体８Ｃを経路する確率を高めることができ、水の浄化に有利となる。
【００４３】
図４は前記した担体保持部９Ｃを示す。図４に示すように、担体保持部９Ｃの担体収容部９１の周壁は通水性を有する。つまり、担体保持部９Ｃの担体収容部９１の周壁は、担体収容部９１の内外を連通させる通水用の多数の連通口９４を有する。担体保持部９Ｃの下面及び上面には、通水性を有するメッシュ目９５ｘをもつメッシュ部材９５が設けられている。このように担体保持部９Ｃは通水性を有するため、担体保持部９Ｃに保持されている担体８Ｃ、カビ類７Ｃは、水に触れることができる。なお、図４においてはフロート９２及び流路規制部材９３等が省略されている。
【００４４】
また本実施例によれば、図６に示すように、第２浄化槽４の第２浄化室４０内の下部には、かご形状の第２担体保持部９Ｄが設けられている。第２担体保持部９Ｄは、有用微生物としてのバクテリア７Ｄを担持する第２担体８Ｄを保持する。図６に示すように、第２担体保持部９Ｄの下面及び上面には、通水性を有するメッシュ目９７ｙをもつメッシュ部材９７が設けられている。このように第２担体保持部９Ｄは通水性を有するため、第２担体保持部９Ｄに保持されている第２担体８Ｄ、バクテリア７Ｄは、水に触れることができる。
【００４５】
かご形状の第２担体保持部９Ｄについては、前記した第２担体保持部９Ｂと同様な構造により、第２浄化槽４の内壁に係合させて保持させる構造とされている。上記したバクテリア７Ｄとしては土壌菌、活性汚泥菌が例示される。バクテリア７Ｄを担持する第２担体８Ｄとしてはバクテリア７Ｄを担持できるものであればよいが、多数の細孔を有する多孔質体が好ましい。この場合、浄化すべき水に含まれている環境負荷物質等の物質が多孔質体の細孔に捕獲され易くなるため、この物質を栄養分としてカビ類７Ａ，７Ｃ、バクテリア７Ｂ，７Ｄを繁殖させるのに有利である。
【００４６】
なお本実施例に係る第２浄化槽４によれば、空気との接触性が高いことを要求するカビ類７Ｃは、第２浄化槽４の第２浄化室４０内において相対的に上側に配置されていると共に、空気との接触性をあまり要求しないバクテリア７Ｄは、第２浄化槽４の第２浄化室４０内において相対的に下側に配置されている。
【００４７】
図１に示すように、第２浄化槽４の出口４２の下端の高さ位置は、ｈ２として示される。第２浄化槽４に保持されている水が吐水管４６の吐水口４７から吐出されることを考慮すると、第２浄化槽４に保持される水の水面Ｗ２は、基本的には、高さ位置ｈ２に対応するといえる。従って、第２浄化槽４に保持される水の水面Ｗ２の高さが、第２浄化槽４の出口４２の下端の高さ位置ｈ２よりも高いときには、第２浄化槽４の第２浄化室４０内の水は、吐水管４６の吐水口４７から自動的に吐出される。
【００４８】
さて、本実施例に係る水浄化装置を使用する場合について説明を加える。ポンプ２７が駆動すると、水源６に貯留されている浄化されるべき水は、水送給官２６及び第１流入口２２を経て油水分離槽２に供給され、油水分離槽２によって油成分と水成分とに大別される。油成分は油分貯留槽５に排出される。油水分離槽２内の水成分は、油滴除去フィルタ３３により更に油分が除去された後に、第１浄化槽３内に供給される。そして第１浄化槽３内に供給された浄化されるべき水は、担体８Ａに担持されているカビ類７Ａによる浄化作用、第２担体８Ｂに担持されているバクテリア７Ｂによる浄化作用によって浄化される。
【００４９】
更に、第１浄化槽３で浄化された水は、流量調整弁４４を経て第２浄化槽４内に供給される。第２浄化槽４内に供給された水は、第２浄化槽４内に配置されているかご形状の第２担体保持部９Ｄ内の第２担体８Ｄに担持されているバクテリア７Ｄによる浄化作用、かご形状の担体保持部９Ｃ内の担体８Ｃに担持されているカビ類７Ｃによる浄化作用により、浄化される。このように第２浄化槽４で浄化された水は、吐水管４６の吐水口４７から浄化水として吐水される。
【００５０】
本実施例によれば、油水分離槽２の水面をＷＡとし、第１浄化槽３の水面をＷ１とし、第２浄化槽４の水面をＷ２とすれば、油水分離槽２の水面ＷＡの高さによる水圧を利用すべく、ＷＡの高さ＞Ｗ１の高さ＞Ｗ２の高さの関係に設定されている。更に中間管３４の上端Ｗ４の高さについては、ＷＡの高さ＞Ｗ４の高さの関係に設定されている。故に、浄化すべき水をポンプ２７の駆動により油水分離槽２に保持してしまえば、油水分離槽２の水面ＷＡの高さが高くなるため、油水分離槽２の水面ＷＡによる水頭圧を利用して、油水分離槽２の水は、第１浄化槽３、第２浄化槽４に向けて自動的に吐出され、更に、吐水管４６の吐水口４７から自動的に吐出される。
【００５１】
本実施例によれば、浄化すべき水を油水分離槽２により水分と油分とに概略的に分離した後に、油分をある程度分離した水を第１浄化槽３及び第２浄化槽４においてカビ類７Ａ，７Ｃ，バクテリア７Ｂ，７Ｄの浄化作用より、更に浄化するため、浄化効率を高めることができる。本実施例によれば、油分をある程度分離した水を第１浄化槽３及び第２浄化槽４により浄化させるにあたり、カビ類７Ａは上流側に配置されているため、カビ類７Ａから分泌された分解酵素を下流側に流出させることができ、浄化流路全体においてカビ類７Ａの分解酵素による浄化能を高めるのに有利である。
【００５２】
即ち、カビ類７Ａを担持する担体８Ａを保持する担体保持部９Ａを、バクテリア７Ｂを担持する第２担体８Ｂを保持する第２担体保持部９Ｂよりも、水の流れる流路において相対的に上流側に設けているため、カビ類７Ａから分泌された分解酵素を下流側に供給でき、更に、カビ類７Ａの下流側に第２担体８Ｂ、８Ｄが設けられているため、多孔質体である第２担体８Ｂ、８Ｄの細孔に当該分解酵素を担持させることも期待でき、これにより分解酵素が短時間で排出されることを抑制でき、浄化効率の向上に有利である。
【００５３】
本実施例によれば、図１に示すように、第１浄化槽３の下部には吸入弁２００、逆洗用のポンプ２０２を介して吸入管２０１が接続されていると共に、第１浄化槽３の上部には排出弁２０３を介して排出管２０４が接続されている。通常時には吸入弁２００及び排出弁２０３は閉弁されている。第１浄化槽３を洗浄するときには、流量調整弁４４，３５を閉弁させると共に、吸入弁２００及び排出弁２０３を開弁させた状態で、逆洗用のポンプ２０２が作動すると、吸入管２０１から洗浄水が第１浄化槽３内に供給される。洗浄水は第１浄化槽３内を上向き（矢印Ｄ２方向）に流れる。そして、第１浄化槽３内に存在している汚濁物は、洗浄水で洗浄され、排出管２０４から外方に排出され、これにより第１浄化槽３内が洗浄される。このように第１浄化槽３内の洗浄が終了したら、吸入弁２００及び排出弁２０３を閉弁させると共に流量調整弁４４，３５を開弁させる。
【００５４】
上記した図１に示す水浄化装置は、設置面に固定的に設置される固定方式でも良いし、あるいは、トラック等の車両の荷台に搭載される可動方式とすることもできる。可動方式の場合、トラック等の車両に搭載した水浄化装置を水源に搬送し、その場所で汚水を油水分離槽２に汲み上げ、油水分離槽２、第１浄化槽３及び第２浄化槽４により浄化させることができる。
【００５５】
（その他）
上記した実施例によれば、図２に示すように、第１浄化槽３に配置されているカビ類７Ａを保持する担体保持部９Ａは、これを第１浄化槽３の水の水面Ｗ１に浮遊させるフロート９２を有する方式である。しかしこれに限らず、担体保持部９Ａを第１浄化槽３の水面Ｗ１付近に位置させるように、担体保持部９Ａを第１浄化槽３に着脱可能に係合させるフック形状の係合部が保持部として第１浄化槽３に設けられている方式でも良い。
【００５６】
上記した実施例によれば、図６に示すように、第２浄化槽４には、カビ類７Ｃを保持する担体保持部９Ｃを係合して保持するフック形状の係合部３９Ｃが保持部として設けられている方式であるが、これに限らず、担体保持部９Ｃはフロートにより浮遊する方式としても良い。フロートにより担体保持部９Ｃは、第２浄化槽４の水の水面Ｗ２に浮遊することができる。
【００５７】
上記した実施例によれば、第１浄化槽３，第２浄化槽４の双方が設けられているが、浄化すべき水の汚染の程度等によっては、いずれか一方でも良い。その他、本発明方法及び本発明装置は上記した実施例のみに限定されるものではなく、要旨を逸脱しない範囲内で適宜変更して実施できるものである。上記した記載から次の技術的思想も認識できる。
（付記項１）各請求項において、カビ類の下流側の流路に多孔質体が配置されていることを特徴とする水浄化方法および水浄化装置。カビ類から分泌された分解酵素を多孔質体に担持することができ、分解酵素の流失を抑えるのに有利である。
【００５８】
【発明の効果】
以上説明したように本発明によれば、担体に担持されているカビ類は、空気及び水が供給される領域に保持されるため、カビ類の繁殖に有利であり、カビ類により水を浄化することができる水浄化方法および水浄化装置を提供することができる。
【図面の簡単な説明】
【図１】水浄化装置を模式的に示す断面図である。
【図２】第１浄化槽の内部を模式的に示す断面図である。
【図３】第１浄化槽に装備されるカビ類を担持する担体を保持する担体保持部を模式的に示す斜視図である。
【図４】第２浄化槽に装備されるカビ類を担持する担体を保持する担体保持部を模式的に示す斜視図である。
【図５】第１浄化槽に装備されるバクテリアを担持する題２担体を保持する第２担体保持部を第１浄化槽に保持する状態を模式的に示す断面図である。
【図６】第２浄化槽の内部を模式的に示す断面図である。
【符号の説明】
図中、１は基体、２は油水分離槽、３は第１浄化槽、３０は第１浄化室、４は第２浄化槽、４０は第２浄化室、７Ａ，７Ｃはカビ類、８Ａ，８Ｃは担体，８Ｂ，８Ｄは第２担体、７Ｂ，７Ｄはバクテリア、９Ａ，９Ｃは担体保持部，９Ｂ，９Ｄは第２担体保持部、３９Ｂは係合部（保持部）、９ｍは被係合部（保持部）を示す。
【図１】
2004344736.tif 000003
【図２】
2004344736.tif 000004
【図３】
2004344736.tif 000005
【図４】
2004344736.tif 000006
【図５】
2004344736.tif 000007
【図６】
2004344736.tif 000008